(57)【要約】【課題】  多くの物品を携帯でき、容易に使用でき、製造コストを減少できる物置用品を提供する。【解決手段】  一つの物置体１２と、一つの握り持部品１４とを含む。物置体１２は、一つの物置空間と、若干の滑り輪セット２２がある。物置体１２の底側に若干の滑り輪セット２２が設置されていて、物置体１２が地面上で滑り動くことが可能になる。握り持部品１４は、物置体１２の一側に設けられていて、使用者に握られる。物置体１２の底側に使用者が足部で踏んで補助推力を生じることが可能な一つの足踏部２８が設けられている。物置体１２の位置の変更によって納載の面積を増加して、更に多くの物品を携帯でき、使用者がスムースに引き歩くことができ、尚且つ使用者は容易にスムースに進行方向を変えることができる。【選択図】    図１
0003111809.tif 000002
【実用新案登録請求の範囲】
【請求項１】
一つの物置体と、一つの握り持部品とを含む物置用品であって、
前記物置体は、一つの物置空間と、滑り輪セットがあって、前記物置体の底側に前記滑り輪セットが設置されていて、前記物置体が地面上で滑り動くことを可能にし、
前記握り持部品は、前記物置体の一側に設けられていて、使用者に持ち握られ、前記物置体の底側に使用者が足部で踏んで補助推力を生じることが可能な一つの足踏部が設けられて成ることを特徴とする物置用品。
【請求項２】
前記足踏部は、物置体の底部に設置されていることを特徴とする請求項１記載の物置用品。
【請求項３】
前記物置用品は、更に一つの活動台を含み、前記物置体は活動台の頂側に置かれていて、前記滑り輪セットは活動台の底側に設置されて形成されていることを特徴とする請求項１記載の物置用品。
【請求項４】
前記足踏部は、一つの凹入で構成されていることを特徴とする請求項２記載の物置用品。
【請求項５】
前記物置用品は、更に一つの向換装置を含み、前記向換装置は前記物置体の底側に設けられて予定の滑り輪と連接して、前記握り持部品の駆動を受けて物置体の滑り動きの方向変換に使われる構成であることを特徴とする請求項１記載の物置用品。
【請求項６】
前記向換装置は、一つの連動棒と、二つの偏振れ部品とを含み、二つの前記偏振れ部品は前記連動棒の二端に枢設され、各前記偏振れ部品の外側には更に一つの向換可能な輪が枢設されていることを特徴とする請求項５記載の物置用品。
【請求項７】
前記物置体は、一つの箱体であることを特徴とする請求項１記載の物置用品。
【請求項８】
前記物置体は、一つの開口で上に向かっている殻体を形成することを特徴とする請求項１記載の物置用品。
【請求項９】
前記滑り輪セットは、向換輪と従動輪で組合されていることを特徴とする請求項１記載の物置用品。
【請求項１０】
前記活動台は、一つのベース台と、一本の差さえ部品があって、前記差さえ部品は前記ベース台上に設けられ、前記物置体はベース台上にあって差さえ部品と連接していることを特徴とする請求項３記載の物置用品。
【請求項１１】
前記差さえ部品は、ベース台上に枢設されていることを特徴とする請求項１０記載の物置用品。
【請求項１２】
前記物置用品は、更に一つの載台と、一つの平衡装置とを含み、前記載台は前記活動台の予定部の所に連接し、前記平衡装置は前記活動台と載台を連接して、前記載台の滑り動く状態の安定を維持して滑り輪セットを同時に地面に貼りつけて転動させることが可能であることを特徴とする請求項３記載の物置用品。
【請求項１３】
前記平衡装置は、一つの第一連接部品と、一つの第二連接部品と、一本の軸棒とを含み、前記第一連接部品は活動台の末端に設置されていて、前記第二連接部品は前記載台の活動台に対応した一端に設けられ、前記軸棒は回転可能に前記第一連接部品及び第二連接部品と連接することを特徴とする請求項１２記載の物置用品。
【請求項１４】
前記第一連接部品と第二連接部品は、個別に一つの中空の台体を含み、前記台体の中には一つのベアリングが設けられ、前記軸棒がその中に差し込まれることを特徴とする請求項１３記載の物置用品。
【請求項１５】
前記向換装置は、一つの回帰部品を含み、二つの前記偏振れ部品を自動的に回帰可能であることを特徴とする請求項６記載の物置用品。
【請求項１６】
更に一つの移動装置を含み、前記移動装置は前記活動台に設けられて前記物置体と連接し、前記物置体を活動台の上側に固定し、或いは、物置体を騰出した活動台の頂側の空間の所に移動可能であることを特徴とする請求項６の物置用品。
【請求項１７】
前記移動装置は、握り持部品を軸心に物置体をベース台の外側に振り回すことを特徴とする請求項１６記載の物置用品。
【請求項１８】
前記物置体は、頂端から連接して底端が分離した一つの左箱体及び一つの右箱体が相対して組合されているもので、前記左箱体と右箱体の底端は移動装置に連接し、前記移動装置は左箱体と右箱体の底端をベース台の外側に向けて相対して分離させて、ベース台の頂側の空間を騰出させることを特徴とする請求項１６記載の物置用品。
【請求項１９】
前記移動装置は、一枚の載板と、一つの枢接塊と、一つの定位部品とを含み、前記枢接塊は前記載板の一端にあって、握り持部品の底端と枢接し、前記定位部品は前記枢接塊と握り持部品の予定位置を固接することを特徴とする請求項１６記載の物置用品。
【請求項２０】
前記定位部品は、一本以上の差しピンを含み、各前記差しピンは予定の間隔で握り持部品の底端に設置され、前記枢接塊上には嵌槽があって、予定の差しピンに対応することを特徴とする請求項１９記載の物置用品。
【考案の詳細な説明】
【技術分野】
【０００１】
本考案は、物品を置く装置に関し、更に詳しく言うと、一種の物を置く用品に関する。
【背景技術】
【０００２】
周知の物品を載せる装置、例えば、旅行箱或いは家庭主婦が使用する物を載せて引く車等は、その構造が大体皆物置体の側辺に一つの握りを設けて、使用者が手で握りを握って引く。これでは、使用者は、旅行箱或いは物を載せて引く車を引き歩く時は、必ず旅行箱或いは物を載せて引く車の部分の重量を負担するため、使用上で比較的力を使用する。
【０００３】
これで、ある業者は、使用者が自由に引き歩く或いはその上を踏んで滑り動くことを選択する物置箱体を設計し、操作を更に便利にしている。しかし、この該等の物置箱体の人を載せて滑り動く効果を生じる設計は、主に、一つの物置体と連結できる滑り板を増設している。このため、物置箱体の表面には必ず滑り動き板を収納できる空間及び物置箱体と滑り動き板を連接する連結構造を増設するので、製作コストを高め、実用面でもやはり欠点がある。
【０００４】
周知の若干の旅行箱の側辺或いは底側には更に折り畳み或いは伸縮できる物置架を増設して、使用者に更に多くの品物を携帯させることができるようにしている。周知の旅行箱の底側の滑り輪セットは、通常、最小二つの万能向き転輪を含んでいる。これで、使用者が引いて歩く時、この形式の旅行箱は容易に向き換えやすく、重心の偏移の影響を受けて向き換える時に平衡を失うため、使用者は更に力を入れて旅行箱が倒れないようにする。このような設計もやはり実用面で欠点がある。
【考案の開示】
【考案が解決しようとする課題】
【０００５】
しかしながら、上記のように、旅行箱や物載せ引き車を引いて歩く時は、比較的力を使用する。又、滑り板を使って自由に引き歩く或いはその上を踏んで滑り動く時は、物置箱体は収納空間が必要であり、連結構造の増設が必要であるため、製造コストが増える等の欠点がある。
【課題を解決するための手段】
【０００６】
本考案は、上記の点を解決するためになされたものであり、一つの足踏みができて、人を載せて滑り動くことができる物置用品を提供し、該物置用品は、一つの物置体と、一つの握り持部品とを含む構造で、上記の欠点を解決する。
【考案を実施するための最良の形態】
【０００７】
以下、図面に従って本考案の若干の比較的良い実施例を説明する。
図１及び図２を参照する。本考案の比較的良い第１実施例による物置用品１０は、一つの物置体１２と、一つの握り持部１４で構成されている設計である。
【０００８】
該物置体１２は、内部に物置空間がある箱体で、例えば、周知の旅行箱のようであり、底側には一つの滑り輪セット２２が設けられている。該滑り輪セット２２は、一つの向換ができる輪２４と、二つの従動輪２６から組合され、該物置体１２を地面上で滑り動きできるようにする。又、該物置体１２の握り持部品１４の相対する別の一側の底部は更に一つの足踏部２８があって、該足踏部２８は一つの凹入した形態で、使用者の足部が直接その内部に踏み込む。
【０００９】
該握り持部品１４は、該物置体１２の上に設置されていて、使用者の手持或いは携行に使用される。
これで、使用者が本実施例の該物置用品１０を使用する時は、手で該握り持部品１４を握って、物置用品１０を引き歩く外に、該足踏部２８の設計が更に使用者の足部を収納して、足踏みを進めて輔助推力を生じることができる。これによって、該物置用品１０は携帯に更に便利になる。
【００１０】
次に、図３を参照する。本考案の比較的良い第２実施例の物置用品３０は、底側に更に一つの活動台３４があって、該活動台３４は硬質の材料で製作されている。そして、滑り輪セット３６は活動台３４の横側そば側と底側に設置されていて、且つ、足踏部３８は活動台３４の一側の物置体３２の底端に対応した所に設置されている。該活動台３４と物置体３２の結合方式も折り外しできるように設計することができる（例えば、嵌接又は螺接等の結合技術）。
【００１１】
図４を参照する。これは、本考案の比較的良い第３実施例の物置用品４０で、活動台４２は物置体４４の底側の滑り輪セット４６の間に設置されていて、滑り輪セットを設ける必要がない。
【００１２】
図５及び図６は、本考案の比較的良い第４実施例の物置用品５０で、その構造と前に掲示した物置用品１０の違う所は、更に一つの向換装置５２を含むことである。該向換装置５２は二つの偏振れ部品５３及び一本の連動棒５４があって、該二つの偏振れ部品５３は偏振れできるように個別に下端が物置体５５の底端の二側に枢設されている。該連動棒５４は二つの偏振れ部品５３の上端に枢接して、尚且つ二つの向換え輪は偏振れ部品５３の相対する連動棒５４の別端の外側に設けられている。これで、該物置用品５０は、向換装置５２の設置によって、使用者が引き歩いている時の向換えが更に便利且つスムースになる。
【００１３】
図７及び図８は、本考案の比較的良い第５実施例の物置用品６０で、該物置体６２は周知の買い物引き車の欄体の形式に設計されている。向換装置６４は、物置体６２の底側の活動台６６の下に設けられている。これによって、該物置用品６０は、家庭主婦が引き歩く時に更に便利になる。
【００１４】
図９に示すような本考案の比較的良い第６実施例の物置用品７０は、物置体７２を周知の手推車の開放式架体の形式に設計することができる。
図１０は、本考案の比較的良い第７実施例の物置用品８０で、活動台８２は一つのベース台８３及び一つのベース台８３の頂側に設置されている支え部品８４で構成されているものである。該物置体８５は支え部品８４の一側に置かれ、並びにその側辺に設けられている結合部品８６を利用して支え部品８４を包んで、該活動台８２に固定されている。該結合部品８６は、粘扣帯である。
【００１５】
図１１は、本考案の比較的良い第８実施例の物置用品９０で、該活動台９２は一つのベース台９３及び一つのベース台９３の頂側に枢設されている支え部品９４で構成されている。そして、物置体９５は、該支え部品９４の上に置かれている。該支え部品９４は、周知の活動関節９６とベース台９３の枢接で構成されていて、伸縮することができる。これで、使用者が該物置体９５をベース台９３の上に突き貼り、或いは、ベース台９３の上側の適当な高さに移動し、若しくは、相対するベース台９３を適当な角度に偏回し、これによって、該物置体９５とベース台９３との間に一つの足踏みができる空間（足踏部）を形成することができる。
【００１６】
次に、図１２〜図１５を参照する。これは、本考案の比較的良い第９実施例の物置用品１００で、その構造と前に掲示した実施例の違う所は、活動台１０２が一つのベース台１０４と一つの載台１０６で構成されていることで、且つ、該載台１０６は一つの平衡装置１０８をベース台１０４の後端に枢接する。該平衡装置１０８は、一つの第一連接部品１１０、一つの第二連接部品１１２及び一本の軸棒１１４で組成されているものである。該第一連接部品１１０と第二連接部品１１２は、個別にベース台１０４の後端と載台１０６の前端の底側に設けられていて、個別に一つの中空の台体１１６と台体１１８及び台体１１６と台体１１８の内部の一つのベアリング１２０とベアリング１２２がある。該軸棒１１４の二つの端はベアリング１２０とベアリング１２２の中に固設されて、該載台１０６を相対するベース台１０４と枢転できるようにする。又、該物置用品１００の向換装置１２４は、更に一つの回帰部品１２６を含む。該回帰部品１２６は一本の移動棒１２８があって、該移動棒１２８は二つの偏振れ部品１３０の間に枢接して、移動できるようにベース台１０４の底端を差し越える。二つの弾性部品１３０と弾性部品１３２は、個別に該移動棒１２８の上にはめ置かれていて、並びにベース台１０４の底端と二つの偏振れ部品１３４との間にある。
【００１７】
これで、使用者が該物置用品１００を引いて進行する方向を変える時、該向換装置１２４は使用者の手が引き動かす方向の変化に伴って偏振れする。これによって、各滑り輪１３４は同時に滑り動く方向を変えるので、単一の滑り輪がから上げ回転の状況を発生することがない。且つ、該ベース台１０４が向換装置１２４の駆動を受けて傾斜状態になる時、該平衡装置１０８は該載台１０６を伴って側に傾斜せず、やはり地面に貼りついて滑り動く状態になっている。言い換えると、該向換装置１２４及び平衡装置１０８の設計によって、使用者は該物置用品１００を容易に引き動かすことができ、スムースに進行方向を換えることができる。そして、随時各滑る輪を地面に貼りつけて滑り動く状態を保持することができるため、周知の旅行箱の常に使用者が余分な力を使用して、旅行箱が向換する時に倒れないように維持する欠点を解決する。
【００１８】
図１６と図１７は、本考案の比較的良い第１０実施例の物置用品１４０で、更に一つの移動装置１４２を含む。該移動装置１４２は、一枚の載板１４４を含んでいる。該載板１４４は、物置体１４６がその上に設けられている。一つの管状の枢接塊１４８は、該載板１４４の一端にあって、滑り動きできるように握り持部品１４６の底端にはめ置かれている。一つの定位部品１４９は、二本の差しピン１５０を含む。各該差しピン１５０は、１８０度隔離して相対して握り持部品１４６の底端に設けられている。該枢接塊１４８の底端は二つの嵌槽１５２が凹設されていて、該枢接塊１４８が嵌槽１５２を利用して差しピン１５０をはめ止める時、該載板１４４は相対してベース台１５４を枢転して定位することができない。当然、各該差しピン１５０も、予定角度を離れて相対して握り持部品１４６の底端に設けることができる。
【００１９】
これで、使用者が該物置用品１４０を使用する時は、容易且つスムースに引き動かして進行する外に、使用者が更に多くの物品を携帯（例えば、くつ、花ばち等の物置体１４６の内部に置くのに適しない物品）する時では、該物置体１４６を引き上げて、該定位部品１４８を結合状態から脱離させることができる。そして、該物置体１４６は握り持部品１４６を軸心にしてベース台１５４の前端に枢転し、次に該物置体１４６を下げて、違った差しピン１５０と嵌槽１５２を結合して定位させ、図１８に示すようにし、これで、該ベース台１５４と載台１５６の頂側の空間を空けることができ、載せる物品の面積及び空間を増加することができる。これによって、更に多くの物品を携帯できる。尚且つ、使用者がスムースに引き歩く効果を得ることができる。
【００２０】
図１９と図２０は、本考案の比較的良い第１１実施例の物置用品１６０で、物置体１６２は頂端から連接して底端が分離した一つの左箱体１６４及び右箱体１６６が相対して組み合わされているものである。移動装置１６８は、左箱体１６４と右箱体１６６の下端を連接していて、使用者が該移動装置１６８を利用して、物置体１６２の下端を広げて、ベース台１７０と載台１７２の頂側の空間を空け、更に多くの物品を納載することができる。当然、該右箱体と左箱体も完全に分離できるように設計することができる。
【００２１】
次に、図２１と図２２を参照する。これは、本考案の比較的良い第１２実施例の物置用品１８０で、物置体１８２は一つの上箱体１８４及び一つの下箱体１８６が相対して組み上がっているものである。移動装置１８８は、上箱体１８４と下箱体１８６を逆向きにベース台１９０の外側に振り回して、ベース台１９０と載台１９２の頂側の空間を空けることができる。
【００２２】
上記で述べたように、本考案は、物置体の位置の変更によって納載の面積を増加して、更に多くの物品を携帯でき、やはり使用者がスムースに引き歩くことができて、尚且つ使用者は容易にスムースに進行の方向を変えることができる。
【図面の簡単な説明】
【００２３】
【図１】本考案の第１実施例による物置用品を示す斜視図である。
【図２】本考案の第１実施例による物置用品の足踏部を足で踏む状態を示す模式図である。
【図３】本考案の第２実施例による物置用品を示す斜視図である。
【図４】本考案の第３実施例による物置用品を示す斜視図である。
【図５】本考案の第４実施例による物置用品を示す斜視図である。
【図６】本考案の第４実施例による物置用品の向換装置の回転状態を示す模式図である。
【図７】本考案の第５実施例による物置用品を示す正面図である。
【図８】本考案の第５実施例による物置用品を示す側面図である。
【図９】本考案の第６実施例による物置用品を示す斜視図である。
【図１０】本考案の第７実施例による物置用品を示す斜視図である。
【図１１】本考案の第８実施例による物置用品を示す模式図である。
【図１２】本考案の第９実施例による物置用品を示す側面図である。
【図１３】本考案の第９実施例による物置用品を示す正面図である。
【図１４】本考案の第９実施例による物置用品の活動台、平衡装置及び向換装置を示す底面図である。
【図１５】本考案の第９実施例による物置用品の活動台、平衡装置及び向換装置を示す側面図である。
【図１６】本考案の第１０実施例による物置用品を示す正面図である。
【図１７】本考案の第１０実施例による物置用品の移動装置が物置体の位置を移動する状態を示す模式図である。
【図１８】本考案の第１０実施例による物置用品の使用状態を示す模式図である。
【図１９】本考案の第１１実施例による物置用品を示す模式図である。
【図２０】本考案の第１１実施例による物置用品の移動装置が物置体の底端を分離する状態を示す模式図である。
【図２１】本考案の第１２実施例による物置用品を示す模式図である。
【図２２】本考案の第１２実施例による物置用品の移動装置が物置体の底端を分離する状態を示す模式図である。
【符号の説明】
【００２４】
１０  物置用品、１２  物置体、１４  握り部、２２  滑り輪セット、２４  向換ができる輪、２６  従動輪、２８  足踏部、３０  物置用品、３２  物置体、３４  活動台、３６  滑り輪セット、３８  足踏部、４０  物置用品、４２  活動台、４４  物置体、４６  滑り輪セット、５０  物置用品、５２  向換装置、５３  偏振れ部品、５４  連動棒、５５  物置体、６０  物置用品、６２  物置体、６４  向換装置、６６  活動台、７０  物置用品、７２  物置体、８０  物置用品、８２  活動台、８３  ベース台、８４  支え部品、８５  物置体、８６  結合部品、９０  物置用品、９２  活動台、９３  ベース台、９４  支え部品、９５  物置体、９６  活動関節、１００  物置用品、１０２  活動台、１０４  ベース台、１０６  載台、１０８  平衡装置、１１０  第一連接部品、１１２  第二連接部品、１１４  軸棒、１１６  台体、１１８  台体、１２０  ベアリング、１２２  ベアリング、１２４  向換装置、１２６  回帰部品、１２８  移動棒、１３０  偏振れ部品、１３２  弾性部品、１３４  偏振れ部品、１４０  物置用品、１４２  移動装置、１４４  載板、１４６  物置体、１４８  枢接塊、１４９  定位部品、１５０  差しピン、１５２  嵌槽、１５４  ベース台、１５６  載台、１６０  物置用品、１６２  物置体、１６４  左箱体、１６６  右箱体、１６８  移動装置、１７０  ベース台、１７２  載台、１８０  物置用品、１８２  物置体、１８４  上箱体、１８６  下箱体、１８８  移動装置、１９０  ベース台、１９２  載台
【図１】
0003111809.tif 000003
【図２】
0003111809.tif 000004
【図３】
0003111809.tif 000005
【図４】
0003111809.tif 000006
【図５】
0003111809.tif 000007
【図６】
0003111809.tif 000008
【図７】
0003111809.tif 000009
【図８】
0003111809.tif 000010
【図９】
0003111809.tif 000011
【図１０】
0003111809.tif 000012
【図１１】
0003111809.tif 000013
【図１２】
0003111809.tif 000014
【図１３】
0003111809.tif 000015
【図１４】
0003111809.tif 000016
【図１５】
0003111809.tif 000017
【図１６】
0003111809.tif 000018
【図１７】
0003111809.tif 000019
【図１８】
0003111809.tif 000020
【図１９】
0003111809.tif 000021
【図２０】
0003111809.tif 000022
【図２１】
0003111809.tif 000023
【図２２】
0003111809.tif 000024